(57)【要約】【課題】ＴＤＭＡの複数スロットによるデータ通信中に、非優先データの遅延を抑制しつつ、優先データを効率的に送信できる無線端末装置及びその制御方法を提供すること。【解決手段】ＴＤＭＡにてデータ伝送を行うＰＨＳ端末１は、所定のデータ種別を優先データとして生成する優先データ生成部３１と、割り当てスロット毎のスループットを測定するスループット測定部３２と、優先データに対して、スループットが最も高いスロットを割り当てる帯域制御部３４と、を備える。【選択図】図２
2012156848.tif 000002
【特許請求の範囲】
【請求項１】
時分割多元接続にてデータ伝送を行う無線端末装置であって、
所定のデータ種別を優先データとして生成する優先データ生成部と、
前記時分割多元接続における割り当てスロット毎の通信状態を測定する通信状態測定部と、
優先データに対して、前記通信状態測定部により測定された通信状態が最も高いスロットを割り当てる帯域制御部と、を備える無線端末装置。
【請求項２】
優先データは、優先データとは異なるデータである非優先データに比べて、リアルタイム性が要求されるデータである請求項１に記載の無線端末装置。
【請求項３】
優先データ及び優先データとは異なるデータである非優先データの発生量を監視するデータ量監視部を備え、
前記帯域制御部は、前記データ量監視部により監視されている優先データの発生量が所定の増設条件を満たす場合、当該優先データに対して割り当てるスロットを増設する請求項１又は請求項２に記載の無線端末装置。
【請求項４】
前記帯域制御部は、前記データ量監視部により監視されている優先データの発生量が所定の減設条件を満たす場合、当該優先データに対して割り当てるスロットを減設する請求項３に記載の無線端末装置。
【請求項５】
前記帯域制御部は、前記データ量監視部により監視されている優先データの発生量が所定の減設条件を満たし、かつ、非優先データが発生している場合、当該非優先データに対して割り当てるスロットを増設する請求項４に記載の無線端末装置。
【請求項６】
前記帯域制御部は、前記データ量監視部により監視されている非優先データの発生量が所定の減設条件を満たす場合、当該非優先データに対して割り当てるスロットを減設する請求項３から請求項５のいずれか１項に記載の無線端末装置。
【請求項７】
前記帯域制御部は、前記データ量監視部により監視されている非優先データの発生量が所定の減設条件を満たし、かつ、優先データが発生している場合、当該優先データに対して割り当てるスロットを増設する請求項６に記載の無線端末装置。
【請求項８】
前記優先データ生成部は、ＵＤＰデータを優先データとし、ＴＣＰデータを非優先データとする請求項２から請求項７のいずれか１項に記載の無線端末装置。
【請求項９】
時分割多元接続にてデータ伝送を行う無線端末装置の制御方法であって、
所定のデータ種別を優先データとして生成する優先データ生成ステップと、
前記時分割多元接続における割り当てスロット毎の通信状態を測定する通信状態測定ステップと、
優先データに対して、前記通信状態測定ステップにおいて測定された通信状態が最も高いスロットを割り当てる帯域制御ステップと、を含む制御方法。
【発明の詳細な説明】
【技術分野】
【０００１】
本発明は、時分割多元接続方式を用いる無線端末装置及びその制御方法に関する。
【背景技術】
【０００２】
従来、無線端末装置で用いられる通信方式の１つとして、時分割多元接続（ＴＤＭＡ、Ｔｉｍｅ  Ｄｉｖｉｓｉｏｎ  Ｍｕｌｔｉｐｌｅ  Ａｃｃｅｓｓ）方式がある（例えば、特許文献１参照）。このＴＤＭＡ方式の場合、例えば、トランスポート層で生成されたＴＣＰやＵＤＰ等のデータは、スロットのＴＤＭＡフレーム毎のデータサイズに分割され、分割されたデータが順次スロットに格納されて送信される。
【０００３】
また、ＴＤＭＡでは、複数のスロット（リンク）を設ける場合が多い。この場合、送信データは、所定サイズ（例えば、５１２バイト）以内のパケットに分割された後、各パケットが複数のスロットのいずれかに割り当てられる。そして、各パケットは、割り当てられたスロットにおいて、ＴＤＭＡフレーム毎のデータサイズにさらに分割されて送信される。
【先行技術文献】
【特許文献】
【０００４】
【特許文献１】特開２００３−２０４５８０号公報
【発明の概要】
【発明が解決しようとする課題】
【０００５】
ところで、無線端末装置は、通常、送信すべきパケットが発生した順に、空きスロットを割り当てるため、複数種類（例えば、ＴＣＰ及びＵＤＰ）のデータを同時に送信することはできない。また、リアルタイム性が求められる音声や動画等の優先データが生じた場合に、送信順を入れ替えると、非優先データの送信が滞ってしまっていた。
【０００６】
本発明は、ＴＤＭＡの複数スロットによるデータ通信中に、非優先データの遅延を抑制しつつ、優先データを効率的に送信できる無線端末装置及びその制御方法を提供することを目的とする。
【課題を解決するための手段】
【０００７】
本発明に係る無線端末装置は、時分割多元接続にてデータ伝送を行う無線端末装置であって、所定のデータ種別を優先データとして生成する優先データ生成部と、前記時分割多元接続における割り当てスロット毎の通信状態を測定する通信状態測定部と、優先データに対して、前記通信状態測定部により測定された通信状態が最も高いスロットを割り当てる帯域制御部と、を備える。
【０００８】
また、優先データは、優先データとは異なるデータである非優先データに比べて、リアルタイム性が要求されるデータであることが好ましい。
【０００９】
また、本発明に係る無線端末装置は、優先データ及び優先データとは異なるデータである非優先データの発生量を監視するデータ量監視部を備え、前記帯域制御部は、前記データ量監視部により監視されている優先データの発生量が所定の増設条件を満たす場合、当該優先データに対して割り当てるスロットを増設することが好ましい。
【００１０】
また、前記帯域制御部は、前記データ量監視部により監視されている優先データの発生量が所定の減設条件を満たす場合、当該優先データに対して割り当てるスロットを減設することが好ましい。
【００１１】
また、前記帯域制御部は、前記データ量監視部により監視されている優先データの発生量が所定の減設条件を満たし、かつ、非優先データが発生している場合、当該非優先データに対して割り当てるスロットを増設することが好ましい。
【００１２】
また、前記帯域制御部は、前記データ量監視部により監視されている非優先データの発生量が所定の減設条件を満たす場合、当該非優先データに対して割り当てるスロットを減設することが好ましい。
【００１３】
また、前記帯域制御部は、前記データ量監視部により監視されている非優先データの発生量が所定の減設条件を満たし、かつ、優先データが発生している場合、当該優先データに対して割り当てるスロットを増設することが好ましい。
【００１４】
また、前記優先データ生成部は、ＵＤＰデータを優先データとし、ＴＣＰデータを非優先データとすることが好ましい。
【００１５】
本発明に係る制御方法は、時分割多元接続にてデータ伝送を行う無線端末装置の制御方法であって、所定のデータ種別を優先データとして生成する優先データ生成ステップと、前記時分割多元接続における割り当てスロット毎の通信状態を測定する通信状態測定ステップと、優先データに対して、前記通信状態測定ステップにおいて測定された通信状態が最も高いスロットを割り当てる帯域制御ステップと、を含む。
【発明の効果】
【００１６】
本発明によれば、無線端末装置は、ＴＤＭＡの複数スロットによるデータ通信中に、非優先データの遅延を抑制しつつ、優先データを効率的に送信できる。
【図面の簡単な説明】
【００１７】
【図１】実施形態に係るＰＨＳ端末の外観斜視図である。
【図２】実施形態に係るＰＨＳ端末の機能を示すブロック図である。
【図３】実施形態に係るＰＨＳ端末を含む無線通信システムの構成例を示す図である。
【図４】実施形態に係る優先データへのスロットの割り当て例を示す図である。
【図５】実施形態に係るＴＤＭＡスロットへパケットが格納される様子を時系列で示す図である。
【図６】実施形態に係る優先データが発生した際に、スロットを割り当てる処理を示すフローチャートである。
【図７】実施形態に係る優先データ又は非優先データの発生量に応じたスロットの割り当て数の調整処理を示すフローチャートである。
【図８】実施形態に係る優先データに割り当てられているスロット数の減設処理を示すフローチャートである。
【図９】実施形態に係る非優先データに割り当てられているスロット数の減設処理を示すフローチャートである。
【発明を実施するための形態】
【００１８】
以下、本発明の好適な実施形態の一例について説明する。なお、本実施形態では、ＴＤＭＡにてデータ伝送を行う無線端末装置の一例としてＰＨＳ（登録商標；Ｐｅｒｓｏｎａｌ  Ｈａｎｄｙ  ｐｈｏｎｅ  Ｓｙｓｔｅｍ）端末１を説明する。
【００１９】
図１は、本実施形態に係るＰＨＳ端末１の外観斜視図である。
なお、図１は、いわゆる折り畳み型の端末の形態を示しているが、本発明に係るＰＨＳ端末１の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００２０】
ＰＨＳ端末１は、操作部側筐体２と、表示部側筐体３と、を備えて構成される。操作部側筐体２は、表面部１０に、操作部１１と、ＰＨＳ端末１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００２１】
また、表示部側筐体３は、表面部２０に、各種情報を表示するための表示部２１と、通話の相手側の音声を出力するレシーバ２２と、を備えて構成されている。
【００２２】
また、操作部側筐体２の上端部と表示部側筐体３の下端部とは、ヒンジ機構４を介して連結されている。また、ＰＨＳ端末１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００２３】
図２は、本実施形態に係るＰＨＳ端末１の機能を示すブロック図である。
ＰＨＳ端末１は、操作部１１と、表示部２１と、制御部３０と、通信部４０と、記憶部５０と、音声制御部６０とを備える。
【００２４】
制御部３０は、ＰＨＳ端末１の全体を制御しており、例えば、表示部２１や通信部４０等の各部に対して所定の制御を行う。また、制御部３０は、操作部１１や通信部４０等から入力を受け付けて、各種処理を実行する。そして、制御部３０は、処理実行の際には、記憶部５０を制御し、各種プログラム及びデータの読み出し、及びデータの書き込みを行う。なお、本実施形態に係る制御部３０の詳細機能は後述する。
【００２５】
通信部４０は、制御部３０の制御に従って、所定の使用周波数帯（例えば、１．９ＧＨｚ帯）で外部装置（基地局）と通信を行う。そして、通信部４０は、アンテナ４１より受信した信号を復調処理し、処理後の信号を制御部３０に供給し、また、制御部３０から供給された信号を変調処理し、アンテナ４１から外部装置に送信する。
【００２６】
図３は、本実施形態に係るＰＨＳ端末１を含むＴＤＭＡによる無線通信システムの構成例を示す図である。
【００２７】
ＰＨＳ端末１は、ＴＤＭＡの複数のスロット（例えば、スロット１〜４）を用いて、それぞれ異なる基地局と無線通信を行う。これらの基地局は、通信事業者のネットワーク内でＳＰＤＳ（Ｓｅｒｖｉｎｇ  ＰＨＳ  Ｄａｔａ  Ｓｅｒｖｅｒ）と接続されている。さらに、ＳＰＤＳは、ＧＰＤＳ（Ｇａｔｅｗａｙ  ＰＨＳ  Ｄａｔａ  Ｓｅｒｖｅｒ）を介して、インターネット又はイントラネット上の各種サーバ（例えば、ＷＷＷサーバ）にアクセスできる。
【００２８】
ここで、各スロットは、無線通信であるために、それぞれ異なる基地局によって通信している等の理由によって、それぞれエラー率等の通信品質が異なり、データ通信におけるスループットが大きく異なる場合もある。
【００２９】
記憶部５０は、例えば、ワーキングメモリを含み、制御部３０による演算処理に利用される。また、本実施形態に係る各種プログラムの他、優先データの送受信用スロット数の初期値や最大値、増設及び減設の条件、各スロットの通信状態としてのスループット値等を記憶する。
【００３０】
音声制御部６０は、制御部３０の制御に従って、通信部４０から供給された信号に対して所定の音声処理を行い、処理後の信号をレシーバ２２に出力する。レシーバ２２は、音声制御部６０から供給された信号を外部に出力する。なお、この信号は、レシーバ２２に代えて、又はレシーバ２２と共に、スピーカ（図示せず）から出力されるとしてもよい。また、音声制御部６０は、制御部３０の制御に従って、マイク１２から入力された信号を処理し、処理後の信号を通信部４０に出力する。通信部４０は、音声制御部６０から供給された信号に所定の処理を行い、処理後の信号をアンテナ４１より出力する。
【００３１】
次に制御部３０の機能を詳述する。
制御部３０は、優先データ生成部３１と、スループット測定部３２（通信状態測定部）と、データ量監視部３３と、帯域制御部３４とを備える。
【００３２】
優先データ生成部３１は、音声制御部６０から提供された音声データや、カメラ（図示せず）から提供された動画データ等、リアルタイム性を要する所定のデータ種別を、優先データとして生成する。具体的には、優先データ生成部３１は、例えば、ＩＰ、ＵＤＰ及びＲＴＰプロトコルにより、優先データを生成する。
【００３３】
一方、例えば、コンテンツをダウンロードする場合のＨＴＴＰデータや、ファイル転送する場合のＦＴＰデータ等の場合、スループットよりも、確実にデータが送達される信頼性が要求されるので、ＴＣＰプロトコルにより非優先データとして生成される。
以下、優先データ生成部３１は、ＵＤＰデータ（より正確には、ＵＤＰプロトコル及びＲＴＰプロトコルに基づくデータ）を優先データとし、ＴＣＰデータ（より正確には、ＴＣＰプロトコル及びＨＴＴＰプロトコルに基づくデータ）を非優先データとする。
【００３４】
スループット測定部３２は、ＴＤＭＡにおける各スロットの通信状態としてスループットを測定する。なお、スループット測定部３２は、定期的に測定したスループットを、記憶部５０に記憶することとしてよい。
【００３５】
データ量監視部３３は、優先データ及び優先データとは異なるデータである非優先データの発生量を監視する。具体的には、データ量監視部３３は、例えば、優先データ及び非優先データのそれぞれについて、単位時間当たりの送信パケット数を測定する。
【００３６】
帯域制御部３４は、優先データに対して、スループット測定部３２により測定されたスループットが最も高いスロットから順に所定数（初期値）を割り当てる。
【００３７】
図４は、本実施形態に係る優先データへのスロットの割り当て例を示す図である。
この例では、ＰＨＳ端末１において、データＡ、Ｂ、Ｃ、Ｄ及びＥが連続して発生している。帯域制御部３４は、これらのデータのプロトコル種別やポート番号等により、データＢ及びデータＣが優先データであると判断する。
【００３８】
そして、帯域制御部３４は、スロット１〜４のうち、スループットが最も高いスロット１を優先データであるデータＢ及びデータＣに割り当てる。すなわち、スロット１で、データＢのパケット（Ｂ１〜Ｂ３）が、続いてデータＣのパケット（Ｃ１〜Ｃ３）が送信される。スロット２〜４は、非優先データに割り当てられ、データＡ、データＤ、データＥのパケット（それぞれ、Ａ１〜Ａ３、Ｄ１〜Ｄ３、Ｅ１〜Ｅ３）が順に送信される。
【００３９】
図５は、本実施形態に係るＴＤＭＡスロットへパケットが格納される様子を時系列で示す図である。
【００４０】
優先データのパケットＢ１は、さらにフレーム毎のデータサイズに分割され、複数フレームに跨って、スロット１に格納される。また、非優先データのパケットＡ１、Ａ２及びＡ３についても、さらにフレーム毎のデータサイズに分割され、複数フレームに跨って、それぞれ、スロット２、スロット３及びスロット４に格納される。
【００４１】
また、帯域制御部３４は、優先データに対して初期値のスロット数を割り当てた後、優先データ及び非優先データの発生量に応じて、スロットの割り当て数を増減させる。
【００４２】
帯域制御部３４は、データ量監視部３３により監視されている優先データの発生量が所定の増設条件を満たす場合、この優先データに対して割り当てるスロットを増設する。
また、帯域制御部３４は、データ量監視部３３により監視されている優先データの発生量が所定の減設条件を満たす場合、この優先データに対して割り当てるスロットを減設する。さらに、帯域制御部３４は、優先データの発生量が所定の減設条件を満たし、かつ、非優先データが発生している場合、この非優先データに対して割り当てるスロットを増設する。
【００４３】
また、帯域制御部３４は、データ量監視部３３により監視されている非優先データの発生量が所定の減設条件を満たす場合、この非優先データに対して割り当てるスロットを減設する。さらに、帯域制御部３４は、非優先データの発生量が所定の減設条件を満たし、かつ、優先データが発生している場合、この優先データに対して割り当てるスロットを増設する。
【００４４】
ここで、増設条件及び減設条件は、一定時間にどれだけのデータ量が発生したかにより定義される。具体的には、増設条件は、データの発生量が増加したことを判定する条件であり、例えば、１秒間に３パケット分以上のデータが３秒以上継続した場合等と定義される。また、減設条件は、データの発生量が減少したことを判定する条件であり、例えば、１秒間に１パケット分未満のデータが３秒以上継続した場合等と定義される。
【００４５】
以下、制御部３０の処理の流れを説明する。なお、例示として、全４スロットのうち、優先データに割り当てるスロット数の初期値を１とする。
【００４６】
図６は、本実施形態に係る優先データが発生した際に、スロットを割り当てる処理を示すフローチャートである。
【００４７】
ステップＳ１において、制御部３０は、リアルタイム性を要する音声又は動画データを取り込む。
【００４８】
ステップＳ２において、優先データ生成部３１は、ステップＳ１で取り込んだデータを優先データとして、所定のプロトコル（ＩＰ＋ＵＤＰ＋ＲＴＰ）により生成する。
【００４９】
ステップＳ３において、スループット測定部３２は、記憶部５０に記憶されている現状の各スロットのスループットを取得する。
【００５０】
ステップＳ４において、帯域制御部３４は、ステップＳ３で取得したスループットが最も高いスロットで優先データを送信する。このとき、非優先データが４スロット全てを使用していた場合、非優先データに割り当てるスロット数を１減少させる。
【００５１】
図７は、本実施形態に係る優先データ又は非優先データの発生量に応じたスロットの割り当て数の調整処理を示すフローチャートである。
本処理は、データ量監視部３３によりデータの発生量が監視されている間、定期的に繰り返し実行される。
【００５２】
ステップＳ１１において、帯域制御部３４は、優先データの発生量が増設条件を満足したか否かを判定する。この判定がＹＥＳの場合、処理はステップＳ１２に移り、判定がＮＯの場合、処理はステップＳ１３に移る。
【００５３】
ステップＳ１２において、帯域制御部３４は、優先データに割り当てるスロット数を１増設する。なお、スロット数は最大値を限度に増設されるが、最大値まで増設された状態で、非優先データを送受信しているスロット数との合計が４スロット未満の場合、帯域制御部３４は、合計が４スロットになるまで優先データに割り当てるスロット数を増設する。
【００５４】
ステップＳ１３において、帯域制御部３４は、優先データの発生量が減設条件を満足したか否かを判定する。この判定がＹＥＳの場合、処理はステップＳ１４に移り、判定がＮＯの場合、処理はステップＳ１５に移る。
【００５５】
ステップＳ１４において、帯域制御部３４は、優先データに割り当てられているスロットの再割当処理（図８）を行う。
【００５６】
ステップＳ１５において、帯域制御部３４は、非優先データの発生量が減設条件を満足したか否かを判定する。この判定がＹＥＳの場合、処理はステップＳ１６に移り、判定がＮＯの場合、処理は終了する。
【００５７】
ステップＳ１６において、帯域制御部３４は、非優先データに割り当てられているスロットの再割当処理（図９）を行う。
【００５８】
図８は、本実施形態に係る優先データに割り当てられているスロットの再割当処理を示すフローチャートである。
本処理は、割り当て数の調整処理（図７）のステップＳ１４に相当する。
【００５９】
ステップＳ２１において、帯域制御部３４は、優先データに割り当てられているスロット数を減設する。なお、帯域制御部３４は、１スロットずつ減設してもよいし、初期値に戻してもよい。ただし、１スロットのみが割り当てられている場合には、帯域制御部３４は、１スロットの状態を維持する。
【００６０】
ステップＳ２２において、帯域制御部３４は、非優先データに割り当てられているスロットがあるか否かを判定する。この判定がＹＥＳの場合、処理はステップＳ２３に移り、判定がＮＯの場合、処理はステップＳ２６に移る。
【００６１】
ステップＳ２３において、帯域制御部３４は、優先データのスロット数と非優先データのスロット数との合計が４スロットになるまで、非優先データに割り当てられているスロット数を増設する。
【００６２】
ステップＳ２４において、帯域制御部３４は、優先データのＤｏｒｍａｎｔ移行タイマが満了したか否かを判定する。このタイマは、優先データが発生しなくなってから所定時間が経過すると満了する。この判定がＹＥＳの場合、処理はステップＳ２５に移り、判定がＮＯの場合、処理は終了する。
【００６３】
ステップＳ２５において、帯域制御部３４は、優先データへのスロットの割り当てを解除し、非優先データのみの通信とする。
【００６４】
ステップＳ２６において、帯域制御部３４は、優先データのＤｏｒｍａｎｔ移行タイマが満了したか否かを判定する。この判定がＹＥＳの場合、処理はステップＳ２７に移り、判定がＮＯの場合、処理は終了する。
【００６５】
ステップＳ２７において、帯域制御部３４は、優先データへ割り当てているスロットをＤｏｒｍａｎｔ移行させ、ネットワーク接続を維持しつつ、通信を休止させる。
【００６６】
図９は、本実施形態に係る非優先データに割り当てられているスロット数の減設処理を示すフローチャートである。
本処理は、割り当て数の調整処理（図７）のステップＳ１５に相当する。
【００６７】
ステップＳ３１において、帯域制御部３４は、非優先データに割り当てられているスロット数を減設する。なお、帯域制御部３４は、１スロットずつ減設してもよいし、初期値に戻してもよい。ただし、１スロットのみが割り当てられている場合には、帯域制御部３４は、１スロットの状態を維持する。
【００６８】
ステップＳ３２において、帯域制御部３４は、優先データに割り当てられているスロットがあるか否かを判定する。この判定がＹＥＳの場合、処理はステップＳ３３に移り、判定がＮＯの場合、処理はステップＳ３６に移る。
【００６９】
ステップＳ３３において、帯域制御部３４は、優先データのスロット数と非優先データのスロット数との合計が４スロットになるまで、優先データに割り当てられているスロット数を増設する。
【００７０】
ステップＳ３４において、帯域制御部３４は、非優先データのＤｏｒｍａｎｔ移行タイマが満了したか否かを判定する。この判定がＹＥＳの場合、処理はステップＳ３５に移り、判定がＮＯの場合、処理は終了する。
【００７１】
ステップＳ３５において、帯域制御部３４は、非優先データへのスロットの割り当てを解除し、優先データのみの通信とする。
【００７２】
ステップＳ３６において、帯域制御部３４は、非優先データのＤｏｒｍａｎｔ移行タイマが満了したか否かを判定する。この判定がＹＥＳの場合、処理はステップＳ３７に移り、判定がＮＯの場合、処理は終了する。
【００７３】
ステップＳ３７において、帯域制御部３４は、非優先データへ割り当てているスロットをＤｏｒｍａｎｔ移行させ、ネットワーク接続を維持しつつ、通信を休止させる。
【００７４】
以上のように、本実施形態によれば、ＰＨＳ端末１は、ＴＤＭＡ方式にてデータ伝送を行う際、スループットが最も高いスロットを優先データに割り当て、非優先データと共に送信できるので、非優先データの遅延を抑制しつつ、優先データを効率的に送信できる。
【００７５】
また、ＰＨＳ端末１は、優先データ及び非優先データの発生量を監視し、増設条件又は減設条件に従って、優先データと非優先データとに割り当てるスロット数を増減するので、データの発生量に応じて効率的に送受信を行える。
【００７６】
さらに、ＰＨＳ端末１は、優先データに割り当てるスロットを減設した場合には、非優先データに割り当てるスロットを増設し、非優先データに割り当てるスロットを減設した場合には、優先データに割り当てるスロットを増設する。これにより、ＰＨＳ端末１は、空きスロットを活用し、効率的に送受信を行える。
【００７７】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７８】
前述の実施形態では、音声や動画等のＵＤＰデータを優先データとして設定したが、優先データと非優先データの判断基準はこれには限られない。例えば、監視システムにおけるセンサ情報や監視データ等を、信頼性を確保しつつ優先して送信する場合等、状況によって、ＴＣＰデータのリアルタイム性を優先すべき場合もある。
【００７９】
そこで、ＰＨＳ端末１は、優先データの設定基準を選択可能であってもよい。具体的には、ＰＨＳ端末１は、例えば、「リアルタイム優先」（ＵＤＰデータを優先）と「信頼性優先」（ＴＣＰデータを優先）のいずれかを選択する入力を受け付けて設定してもよい。
【００８０】
また、ＰＨＳ端末１がパーソナルコンピュータ等のデータ端末に接続され、このデータ端末からＵＳＢ等で受信したデータをＴＤＭＡ方式で無線送信する場合にも、本発明は適用可能である。
【００８１】
また、本発明に係る無線端末装置は、ＰＨＳ端末１には限られない。本発明は、携帯電話機、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ、通信機能に特化した通信専用モジュール等、様々な装置に適用可能である。
【符号の説明】
【００８２】
１  ＰＨＳ端末（無線端末装置）
１１  操作部
１２  マイク
２１  表示部
２２  レシーバ
３０  制御部
３１  優先データ生成部
３２  スループット測定部（通信状態測定部）
３３  データ量監視部
３４  帯域制御部
４０  通信部
４１  アンテナ
５０  記憶部
６０  音声制御部
【図１】
2012156848.tif 000003
【図２】
2012156848.tif 000004
【図３】
2012156848.tif 000005
【図４】
2012156848.tif 000006
【図５】
2012156848.tif 000007
【図６】
2012156848.tif 000008
【図７】
2012156848.tif 000009
【図８】
2012156848.tif 000010
【図９】
2012156848.tif 000011